(57)【要約】【課題】照明器具に対する制御性を向上したリモートコントローラ及び照明システムを提供する。【解決手段】リモートコントローラ１は、操作面５ａを有する筐体５と、この操作面５ａと筐体５の前方側端面５ｂとの間に取り付けられ、照明器具を操作するための第１の光信号を出力する第１の発光部８と、を備える。この第１の発光部８は、第１の光信号を操作面の斜め上方に向けて出力する。また、筐体５は、例えば操作面５ａの斜め上方に面する傾斜面５ｄを操作面５ａと前方側端面５ｂとの間に有する。第１の発光部８はこの傾斜面５ｄに配置されている。【選択図】図１
2016072846.tif 000002
【特許請求の範囲】
【請求項１】
操作面を有する筐体と、
前記操作面と前記筐体の第１の端面との間に取り付けられ、照明器具を操作するための第１の光信号を出力する第１の発光部と、を備えることを特徴とするリモートコントローラ。
【請求項２】
前記第１の発光部は、前記第１の光信号を前記操作面の斜め上方に向けて出力することを特徴とする請求項１に記載のリモートコントローラ。
【請求項３】
前記筐体は、
前記操作面の斜め上方に面する傾斜面を前記操作面と前記第１の端面との間に有し、
前記第１の発光部は前記傾斜面に配置されていることを特徴とする請求項１又は２に記載のリモートコントローラ。
【請求項４】
前記筐体に設けられ、前記第１の発光部を前記傾斜面に向けて支持する第１の支持部、を備えることを特徴とする請求項３に記載のリモートコントローラ。
【請求項５】
操作面を有する筐体と、
照明器具を操作するための第１の光信号を前記操作面の斜め上方に向けて出力する第１の発光部と、を備えることを特徴とするリモートコントローラ。
【請求項６】
前記筐体の第１の端面に取り付けられ、前記照明器具を操作するための第２の光信号を出力する第２の発光部、を備えることを特徴とする請求項１〜５の何れか一項に記載のリモートコントローラ。
【請求項７】
前記第２の発光部は、前記第２の光信号を前記操作面の側方に向けて出力することを特徴とする請求項６に記載のリモートコントローラ。
【請求項８】
前記筐体に設けられ、前記第２の発光部を前記第１の端面に向けて支持する第２の支持部、を備えることを特徴とする請求項６又は７に記載のリモートコントローラ。
【請求項９】
前記第２の光信号を構成する光の照射範囲の角度は、前記筐体の長手方向に沿う中心軸に近づく方向よりも、前記中心軸から遠ざかる方向へ広がるように設定されていることを特徴とする請求項６〜８の何れか一項に記載のリモートコントローラ。
【請求項１０】
前記第１の発光部の出力は前記第２の発光部の出力よりも大きいことを特徴とする請求項６〜９の何れか一項に記載のリモートコントローラ。
【請求項１１】
前記操作面を正面に向けた状態で、前記筐体の前記第１の端面の反対側に位置する第２の端面の側から前記筐体を収納可能なホルダ、を備えることを特徴とする請求項１〜１０の何れか一項に記載のリモートコントローラ。
【請求項１２】
請求項１〜１１の何れか一項に記載のリモートコントローラと、
前記リモートコントローラによって操作される照明器具と、を備えることを特徴とする照明システム。
【発明の詳細な説明】
【技術分野】
【０００１】
本発明は、リモートコントローラ及び照明システムに関する。
【背景技術】
【０００２】
この種の従来技術として、例えば特許文献１、２に開示されたものがある。すなわち、特許文献１には、照明器具による照明中に最も頻繁に使用する第１操作ボタンが操作面の中央に配置された照明器具用リモコンが開示されている。また、特許文献１には、第１操作ボタンが光量調整ボタンであることが記載されている。さらに、特許文献１では、照明器具用リモコンの前方が信号の送信方向であることが図示されている。
【０００３】
特許文献２には、照明器具を遠隔操作するための光信号を照射する第一発光部及び第二発光部と、送信器本体の操作面に設けられた操作部とを備えるリモコン送信機が開示されている。また、特許文献２には、送信器本体の操作面を上側に向けた状態で操作部を操作すると、第一発光部の発光素子から上方に向けて光信号が出力され、第二発光部の発光素子から前方に向けて光信号が出力されることが記載されている。
【先行技術文献】
【特許文献】
【０００４】
【特許文献１】特開２０１２−１５６６８４号公報
【特許文献２】特開２０１２−２２７７４７号公報
【発明の概要】
【発明が解決しようとする課題】
【０００５】
最近では、インターネット等の通信回線を通して、室内に配置されたリモコンを遠隔操作し、室内照明を外部から遠隔制御することが可能となっている。このような使用形態では、送信機本体は室内の壁面に取り付けられたホルダに常時収納された状態で光信号を出力することが想定される。リモコンから室内照明に光信号が届き難いと、室内照明の遠隔制御を十分に実行することができない可能性がある。
そこで、この発明はこのような事情に鑑みてなされたものであって、照明器具に対する制御性を向上したリモートコントローラ及び照明システムを提供することを目的にする。
【課題を解決するための手段】
【０００６】
上記課題を解決するために、本発明の一態様に係るリモートコントローラは、操作面を有する筐体と、前記操作面と前記筐体の第１の端面との間に取り付けられ、照明器具を操作するための第１の光信号を出力する第１の発光部と、を備えることを特徴とする。
また、上記の実施形態において、前記第１の発光部は、前記第１の光信号を前記操作面の斜め上方に向けて出力することを特徴としてもよい。
【０００７】
また、上記の実施形態において、前記筐体は、前記操作面の斜め上方に面する傾斜面を前記操作面と前記第１の端面との間に有し、前記第１の発光部は前記傾斜面に配置されていることを特徴としてもよい。
また、上記の実施形態において、前記筐体に設けられ、前記第１の発光部を前記傾斜面に向けて支持する第１の支持部、を備えることを特徴としてもよい。
【０００８】
本発明の別の態様に係るリモートコントローラは、操作面を有する筐体と、照明器具を操作するための第１の光信号を前記操作面の斜め上方に向けて出力する第１の発光部と、を備えることを特徴とする。
また、上記の実施形態において、前記筐体の第１の端面に取り付けられ、前記照明器具を操作するための第２の光信号を出力する第２の発光部、を備えることを特徴としてもよい。
【０００９】
また、上記の実施形態において、前記第２の発光部は、前記第２の光信号を前記操作面の側方に向けて出力することを特徴としてもよい。
また、上記の実施形態において、前記筐体に設けられ、前記第２の発光部を前記第１の端面に向けて支持する第２の支持部、を備えることを特徴としてもよい。
また、上記の実施形態において、前記第２の光信号を構成する光の照射範囲の角度は、前記筐体の長手方向に沿う中心軸に近づく方向よりも、前記中心軸から遠ざかる方向へ広がるように設定されていることを特徴としてもよい。
【００１０】
また、上記の実施形態において、前記第１の発光部の出力は前記第２の発光部の出力よりも大きいことを特徴としてもよい。
また、上記の実施形態において、前記操作面を正面に向けた状態で、前記筐体の前記第１の端面の反対側に位置する第２の端面の側から前記筐体を収納可能なホルダ、を備えることを特徴としてもよい。
本発明の一態様に係る照明システムは、上記のリモートコントローラと、前記リモートコントローラによって操作される照明器具と、を備えることを特徴とする。
【発明の効果】
【００１１】
本発明の一態様によれば、照明器具に対する制御性を向上したリモートコントローラ（以下、リモコンと称する）及び照明システムを提供することができる。
【図面の簡単な説明】
【００１２】
【図１】本発明の実施形態に係るリモコン１の構成例を示す斜視図である。
【図２】本発明の実施形態に係るリモコン本体２の構成例を示す図である。
【図３】リモコン本体２の構成例を示す図である。
【図４】リモコン本体２の内部の構成例を示す図である。
【図５】正面側ケース５１の構成例を示す図である。
【図６】背面側ケース５２の構成例を示す図である。
【図７】第１の発光部８と支持部５１４、５２２との位置関係を示す図である。
【図８】第１の光信号及び第２の光信号の出力方向を示す図である。
【図９】本発明の実施形態に係る照明システム１０の構成例を示す図である。
【図１０】実施形態の変形例に係るリモコン本体２Ａの構成例を示す図である。
【発明を実施するための形態】
【００１３】
以下、本発明の実施形態を図面を用いて説明する。なお、以下に説明する各図において、同一の構成を有する部分には同一の符号を付し、その繰り返しの説明は省略する。
＜構成＞
図１は、本発明の実施形態に係るリモコン１の構成例を示す斜視図である。また、図２（ａ）〜（ｄ）は、リモコン本体２の構成例を示す平面図と、側面図と、背面図及び端面図である。図３は、図２（ａ）の平面図をＡ−Ａ線で切断した断面図である。なお、以下の説明においては、図２（ａ）に示すリモコン１の左側を前方側と称し、図２（ａ）に示すリモコン１の右側を後方側と称する。
図１〜３に示すリモコン１は照明器具を遠隔制御するための装置である。このリモコン１は、例えば、リモコン本体２と、リモコン本体２を収納するためのホルダ３とを備える。
【００１４】
（１）リモコン本体
図１〜３に示すように、リモコン本体２は、筐体５と、筐体５の操作面（すなわち、正面）５ａの第１の領域に設けられた第１の操作部６と、操作面５ａの第２の領域に設けられた第２の操作部７と、筐体５の前方側に設けられた第１の発光部８及び第２の発光部９と、を備える。
【００１５】
（１．１）操作部
第１の操作部６は、照明器具に設けられたＬＥＤ（Ｌｉｇｈｔ  Ｅｍｉｔｔｉｎｇ  Ｄｉｏｄｅ）照明灯や常夜灯を点灯又は消灯させるための操作部である。本実施形態において、ＬＥＤ照明灯は主光源部の一例であり、常夜灯は補助光源部の一例である。
第１の操作部６は、例えば、全灯ボタン６１と、消灯ボタン６２と、常夜灯ボタン及びメモリ点灯ボタンを有する。全灯ボタン６１は、照明器具にＬＥＤ照明灯を全灯させるボタンである。消灯ボタン６２は、照明器具に、点灯中のＬＥＤ照明灯又は点灯中の常夜灯を消灯させるボタンである。常夜灯ボタンは、照明器具に常夜灯を点灯させるボタンである。メモリ点灯ボタンは、照明器具に、ユーザが予め設定した（例えば、照明器具又は自機のメモリに記憶させた）明るさ及び色温度でＬＥＤ照明灯を点灯させるボタンである。この例では、メモリ点灯ボタンと常夜灯ボタンとが兼用のボタン６３で構成されている。兼用のボタン６３は、この兼用のボタン６３が押されるたびにメモリ点灯ボタン又は常夜灯ボタンとして交互に機能する。
【００１６】
第２の操作部７は、照明器具に点灯又は消灯以外の他の制御を行う操作部である。第２の操作部７は、例えば、明るさ調整ボタン７１と、色温度調整ボタン７２と、メモリ設定ボタン７３と、おやすみボタン７４と、簡易おはようボタン７５と、おやすみ常夜灯ボタン７６と、読書モードボタン７７と、食事モードボタン７８と、くつろぎモードボタン７９とを有する。
【００１７】
明るさ調整ボタン７１は、点灯中のＬＥＤ照明灯の明るさを調整するボタンである。この明るさ調整ボタン７１の上側部分７１１を押すとＬＥＤ照明灯の明るさが明るくなる。また、この明るさ調整ボタン７１の下側部分７１２を押すとＬＥＤ照明灯の明るさが暗くなる。
色温度調整ボタン７２は、点灯中のＬＥＤ照明灯の色温度を調整するボタンである。この色温度調整ボタン７２の上側部分７２１（白色）を押すとＬＥＤ照明灯の色温度が高温側（すなわち、昼白色または昼光色）に近づく。また、この色温度調整ボタン７２の下側部分７２２（暖色）を押すとＬＥＤ照明灯の色温度が低温側（すなわち、電球色）に近づく。
【００１８】
メモリ設定ボタン７３は、点灯中のＬＥＤ照明灯の現在の明るさ及び色温度を照明器具又は自機のメモリに記憶させるボタンである。
おやすみボタン７４は、点灯中のＬＥＤ照明灯を一定時間後に消灯させるボタンである。例えば、おやすみボタン７４を一回押すと１０分後にＬＥＤ照明灯を消灯させることができ、二回押すと３０分後にＬＥＤ照明灯を消灯させることができ、三回押すとこのボタンの機能を解除させることができる。なお、このおやすみボタン７４による消灯は、ＬＥＤ照明灯の明るさを一定時間に到達するまで変化させない設定でもよいし、一定時間に近づくにつれて徐々に（又は段階的に）暗くする設定でもよい。
【００１９】
簡易おはようボタン７５は、ＬＥＤ照明灯を一定時間後に点灯させるボタンである。ボタンを押す回数で、ＬＥＤ照明灯の点灯を開始までの時間を設定することができる。なお、この簡易おはようボタン７５による点灯は、ＬＥＤ照明灯を一定時間に到達したら即座に全灯させる設定でもよいし、一定時間に近づくにつれて徐々に（又は段階的に）明るく点灯させる設定でもよい。例えば、簡易おはようボタン７５を押して、５時間後にＬＥＤ照明灯を全灯させる場合、その３０分前（すなわち、４時間３０分が経過したとき）から徐々にＬＥＤ照明灯の明るさを増やし、３０分が経過したときにＬＥＤ照明灯を全灯させる設定でもよい。
【００２０】
おやすみ常夜灯ボタン７６は、常夜灯を所定時間後にさらに暗くする（又は、消灯させる）ボタンである。ボタンを押す回数で、常夜灯を消灯させるまでの時間を設定することができる。なお、このおやすみ常夜灯ボタン７６による消灯は、常夜灯の明るさを一定時間に到達するまで変化させない設定でもよいし、一定時間に近づくにつれて徐々に（又は段階的に）暗くする設定でもよい。例えば、おやすみ常夜灯ボタン７６を押して、５分後に常夜灯を消灯させる場合、その到達の３分前（すなわち、２分が経過したとき）から徐々に常夜灯の明るさを減らし、３分が経過したときに常夜灯を消灯させる設定でもよい。
【００２１】
読書モードボタン７７は、読書に適した明るさ及び色温度でＬＥＤ照明灯を点灯させるボタンである。食事モードボタン７８は、食事に適した明るさ及び色温度でＬＥＤ照明灯を点灯させるボタンである。くつろぎモードボタン７９は、くつろぎの空間を創り出しやすい明るさ及び色温度でＬＥＤ照明灯を点灯させるボタンである。読書モードボタン７７、食事モードボタン７８、くつろぎモードボタン７９の各ボタンを押したときのＬＥＤ照明灯の明るさは、明るい方から、読書モード、食事モード、くつろぎモードの順となっている。すなわち、この３つのモードの中では読書モードが最も明るく、くつろぎモードが最も暗い設定となっている。また、読書モードボタン７７、食事モードボタン７８、くつろぎモードボタン７９の各ボタンを押したときのＬＥＤ照明灯の色温度は、読書モードが高温側であり、くつろぎモードが低温側であり、食事モードが高温側と低温側の中間程度の設定となっている。
【００２２】
（１．２）発光部
第１の発光部８は、筐体５の操作面５ａと筐体５の前方側の端面（以下、前方側端面）５ｂとの間に取り付けられ、照明器具を操作するための第１の光信号を出力する発光部である。この第１の発光部８は、第１の光信号を前方側であって操作面５ａの斜め上方（以下、操作面の前方斜め上方と称する）に向けて出力する。また、筐体５は、操作面５ａと前方側端面５ｂとの間に、操作面５ａの前方斜め上方に面する傾斜面５ｄを有する。第１の発光部８は、この傾斜面５ｄに配置されている。第１の発光部８は、例えば、赤外線を発光する１個のＬＥＤ素子からなる。
【００２３】
第２の発光部９は、筐体５の前方側端面５ｂに取り付けられ、照明器具を操作するための第２の光信号を出力する発光部である。この第２の発光部９は、第２の光信号を操作面５ａの側方の一つである前方に向けて出力する。第２の発光部９は、筐体５の前方側端面５ｂに配置されている。第２の発光部９は、例えば、赤外線を発光する２個のＬＥＤ素子９１、９２からなる。
【００２４】
第１の発光部８が出力する第１の光信号と、第２の発光部９が出力する第２の光信号は、互いに同一の指示を含む信号で、発信タイミングも同一ある。また、第１の発光部８の出力（すなわち、第１の光信号の強度）は第２の発光部９の出力（すなわち、第２の光信号の強度）と同じでもよいし、第１の発光部８の出力は第２の発光部９の出力よりも大きくてもよい。
【００２５】
（１．３）筐体
筐体５の外側から見た形状は、例えば、前方側端面５ｂと後方側端面５ｃとを結ぶ方向に長い、直方体に近い形状（例えば、直方体の角部や側面の一部に丸みを持たせた、細長い箱形状）である。筐体５を構成する材料は、例えば合成樹脂である。また、この筐体５は、後述するように、正面側ケース５１と背面側ケース５２とを組み合わせて構成されている。
【００２６】
この筐体５は操作面５ａに凹部５１１を有する。そして、この凹部５１１に底面５１１ａ上に上述した第１の操作部６の各ボタンと、第２の操作部７の各ボタンとがそれぞれ配置されている。ここで、凹部５１１の土手部分５１１ｂよりも、第１の操作部６の各ボタンの頂部の方が、凹部５１１の底面５１１ａに近い位置にある。同様に、凹部５１１の土手部分５１１ｂよりも、第２の操作部７の各ボタンの頂部の方が、凹部５１１の底面５１１ａに近い位置にある。即ち、第１の操作部６の各ボタンと、第２の操作部７の各ボタンは、凹部５１１の土手部分５１１ｂよりもそれぞれ低い。
【００２７】
また、この筐体５の操作面５ａの反対側（以下、背面側）には、バッテリ（例えば、乾電池）を収納するための収容部５２１と、リモコン本体２を支えるための脚部５２７とが設けられている。すなわち、脚部５２７は、リモコン本体２を操作面５を天井面に向けてテーブル等の上に置いたとき、テーブル面とリモコン本体２の背面５ｅとの間に隙間を設けるための脚部である。この脚部５２７により、テーブルと擦れて背面５ｅに傷が発生することを防止することができ、また、テーブル上にこぼした液体等がリモコン本体２の内部に侵入することを防止することができる。
【００２８】
（１．４）内部の構成
図４は、リモコン本体２の内部の構成例を示す分解斜視図である。図４に示すように、リモコン１は、リモコン本体２を構成する部品として、装飾シート２１と、正面側ケース５１と、ボタンシート２３と、基板２５と、第１の発光部８と、第２の発光部９と、電源端子２７と、背面側ケース５２と、バッテリカバー５３とを備える。
【００２９】
装飾シート２１は、例えば正面側ケース５１に設けられた凹部５１１の底面５１１ａに貼付される。この装飾シート２１には複数の貫通穴２１１が設けられている。これらの貫通穴２１１は、ボタンシート２３の突部に対応する位置に設けられている。リモコン本体２を組み立てると、複数の貫通穴２１１の各々にボタンシート２３の突部がそれぞれ通される。この装飾シート２１は、例えば合成樹脂からなり、その表面には文字やデザインが印刷されている。
【００３０】
図５（ａ）〜（ｃ）は正面側ケース５１の構成例を示す平面図と、側面図及び背面図である。図５に示す正面側ケース５１は筐体５の正面側を構成する部品である。図４及び図５に示すように、正面側ケース５１には、複数の貫通穴５１２が設けられている。これらの貫通穴５１２は、ボタンシート２３の突部に対応する位置に設けられている。リモコン本体２を組み立てると、複数の貫通穴５１２の各々にボタンシート２３の突部がそれぞれ通される。
【００３１】
また、この正面側ケース５１には、操作面５ａと前方側端面５ｂとの間に、操作面５ａの前方斜め上方に面する傾斜面５ｄが設けられている。そして、この傾斜面５ｄに円形の貫通穴５１３が設けられている。この貫通穴５１３は、第１の発光部８に対応する位置に設けられている。リモコン本体２を組み立てると、この貫通穴５１３に第１の発光部８の先端部が配置される。
さらに、正面側ケース５１の内側（すなわち、操作面５ａの反対側）には、第１の発光部８を支持するための支持部５１４が設けられている。この支持部５１４は、例えば貫通穴５１３を両側から挟むように配置された一対の板状部材からなる。
【００３２】
図７は、第１の発光部８と支持部５１４、５２２との位置関係を示す断面模式図である。図７に示すように、第１の発光部８は、支持部５１４によって両側から挟まれる。この支持部５１４は、正面側ケース５１と一体に形成されている。
また、この正面側ケース５１の前方側端面５ｂには、切欠き部５１５、５１６が設けられている。これらの切欠き部５１５、５１６は、第２の発光部９の先端に対応する位置にそれぞれ設けられており、例えば正面側ケース５１の長手方向に沿う中心軸を挟んで左右対称となる位置にそれぞれ設けられている。これらの切欠き部５１５、５１６は、第２の発光部９の先端部に沿う形状（例えば、半円形）に形成されている。
【００３３】
また、この正面側ケース５１の内側には、ＬＥＤ素子９１、９２を支持するための支持部５１７、５１８が設けられている。これらの支持部５１７、５１８も、正面側ケース５１の長手方向に沿う中心軸を挟んで左右対称となる位置にそれぞれ設けられている。支持部５１７、５１８には、第２の発光部９の外周面に沿う形状（例えば、半円形）の凹みがそれぞれ形成されている。リモコン本体２を組み立てると、支持部５１７の凹みにＬＥＤ素子９１が配置され、支持部５１８の凹みにＬＥＤ素子９２が配置される。正面側ケース５１は、例えば合成樹脂からなる。また、正面側ケース５１の形成方法は、例えば射出成型である。
【００３４】
図４に戻って、ボタンシート２３は合成樹脂からなる。このボタンシート２３の表面側には複数の突部が形成されている。この複数の突部の各々が、正面側ケース５１及び装飾シート２１の各貫通穴を通して筐体５の外側に露出して、第１の操作部６又は第２の操作部７のボタンとして機能する。また、この複数の突部の各々にはボタンの用途を示す文字やデザイン等が印刷されていてもよい。
【００３５】
また、このボタンシート２３の突部は内側が空洞で断面がドーム状に形成されており、そのドーム状の天井部から基板２５に向かって図示しない突起が設けられている。この突起の先端部にカーボンからなる導電層が形成されている。ボタンシート２３の突部（即ち、ボタン）が押されると、上述の先端部に形成された導電層が基板２５の配線に接触する。これにより、例えば、離れて配置されている配線間を、上述の先端部に形成された導電層を介して導通させることが可能となっている。
基板２５は、例えばガラスエポキシブリプレグ等の絶縁性基板である。この基板２５には図示しない配線層が設けられている。また、第１の発光部８と、第２の発光部９と、図示しない電子部品と電源端子２７等が基板２５に取り付けられており、これらは配線層に電気的に接続している。
【００３６】
電源端子２７は、基板２５に取り付けられる第１の端子２７１と、背面側ケース５２に取り付けられる第２の端子２７２とを有する。この電源端子２７によって、背面側ケース５２に収納される複数個（例えば、２個）のバッテリ２９は直列に接続される。また、直列に接続されたバッテリ２９の電力が第１の端子２７１と基板２５の配線層を介して、第１の発光部８と、第２の発光部９と、図示しない電子部品等に供給される。
【００３７】
図６（ａ）〜（ｃ）は背面側ケース５２の構成例を示す平面図と、側面図及び背面図である。図６に示す背面側ケース５２は筐体５の背面側を構成する部品である。図４及び図６に示すように、背面側ケース５２の表面（即ち、筐体５の背面）５ｅ側には、バッテリを収納するための収容部５２１が設けられている。この収容部５２１の開口側にバッテリカバー５３（図２参照）が着脱自在に取り付けられて、この開口を塞ぐことが可能となっている。
【００３８】
また、背面側ケース５２の内側（即ち、背面５ｅの反対側）には、第１の発光部８を支持するための支持部５２２が設けられている。この支持部５２２は、例えば、互いに平行に配置された一対の板状部材からなる。図７に示すように、第１の発光部８は、この支持部５２２上に配置される。この支持部５２２は、背面側ケース５２と一体に形成されている。
また、この背面側ケース５２の前方側端面５ｂには、切欠き部５２３、５２４が設けられている。これらの切欠き部５２３、５２４は、第２の発光部９の先端に対応する位置にそれぞれ設けられており、例えば背面側ケース５２の長手方向に沿う中心軸を挟んで左右対称となる位置にそれぞれ設けられている。これらの切欠き部５２３、５２４は、第２の発光部９の先端部に沿う形状（例えば、半円形）に形成されている。
【００３９】
リモコン本体２を組み立てると、背面側ケース５２の切欠き部５２３と正面側ケース５１の切欠き部５１５とが向かい合い、前方側端面５ｂを貫く円形の貫通穴が形成される。この貫通穴にＬＥＤ素子９１の先端部が配置される。同様に、背面側ケース５２の切欠き部５２４と正面側ケース５１の切欠き部５１６も向かい合い、前方側端面５ｂを貫く貫通穴が形成される。この貫通穴にＬＥＤ素子９２の先端部が配置される。
【００４０】
また、この背面側ケース５２の内側には、ＬＥＤ素子９１、９２を支持するための支持部５２５、５２６が設けられている。これらの支持部５２５、５２６も、背面側ケース５２の長手方向に沿う中心軸を挟んで左右対称となる位置にそれぞれ設けられている。支持部５２５、５２６には、第２の発光部９の外周面に沿う形状（例えば、半円形）の凹みがそれぞれ形成されている。リモコン本体２を組み立てると、支持部５２５の凹みにＬＥＤ素子９１が配置され、支持部５２６の凹みにＬＥＤ素子９２が配置される。背面側ケース５２は、例えば合成樹脂からなる。また、背面側ケース５２の形成方法は、例えば射出成型である。
上述した正面側ケース５１の内側と背面側ケース５２の内側とを向かい合わせ、この状態で正面側ケース５１と背面側ケース５２とを互いに固定することによって筐体５が構成される。この筐体５の内部空間に、ボタンシート２３や基板２５等が配置される。
【００４１】
また、第１の発光部８は、正面側ケース５１に設けられた貫通穴５１３及び支持部５１４と、背面側ケース５２に設けられた支持部５２２とによって、傾斜面５ｄに向けて支持される（例えば、固定される）。第２の発光部９の一部であるＬＥＤ素子９１は、正面側ケース５１に設けられた切欠き部５１５及び支持部５１７と、背面側ケース５２に設けられた切欠き部５２３及び支持部５２５とによって、筐体５の前方側端面５ｂに向けて支持される（例えば、固定される）。第２の発光部９の一部であるＬＥＤ素子９２は、正面側ケース５１に設けられた切欠き部５１６及び支持部５１８と、背面側ケース５２に設けられた切欠き部５２４及び支持部５２６とによって、筐体５の前方側端面５ｂに向けて支持される（例えば、固定される）。
【００４２】
（１．５）光信号の出力方向
図８（ａ）及び（ｂ）は、第１の光信号及び第２の光信号の出力方向を示す模式図である。図８に示すように、第１の発光部８による第１の光信号の出力方向は、操作面５ａの前方斜め上方向に設定されている。第１の光信号を構成する光（例えば、赤外線）は、第１の発光部８を起点に略円錐状の範囲に照射されるが、断面視で、その指向軸（即ち、光信号の照射範囲のなかで信号強度が最大の方向）と、操作面５ａとが成す角度をθとしたとき、角度θは例えば３０°以上、６０°以下に設定されている。また、第２の発光部９による第２の光信号の出力方向は、前方に設定されている。
【００４３】
なお、筐体５の前方側端面５ｂは、平面視で、リモコン本体２の長手方向に沿う中心軸と交差する位置（例えば、貫通穴５１３の中心位置）を頂点とする円弧状に形成されている。前方側端面５ｂは、平面視で、上記頂点から側部にかけて後退する形状に形成されている。ここで、第２の発光部９を構成するＬＥＤ素子９１、９２の発光領域の一部は、前方側端面５ｂの（切欠き部で構成される）貫通穴に埋まるように配置されている。したがって、第２の光信号を構成する光の照射範囲（以下、第２の光信号の照射範囲と称する）は、貫通穴の内側面によって妨げられる。
【００４４】
しかしながら、本実施形態において、前方側端面５ｂは円筒の側面状に形成されているため、前方側端面５ｂが平面状に形成されている場合と比べて、上記中心軸から離れる方向への光の照射は妨げられない。リモコン本体２は、第２の光信号を構成する光を上記中心軸から離れる方向へ、より広角に照射することができる。すなわち、前方側端面５ｂが円筒の側面状に形成されていることにより、第２の光信号の照射範囲の角度は、上記中心軸に近づく方向よりも、上記中心軸から遠ざかる方向へ広がるように設定されている。したがって、第２の発光部９は、第２の光信号をより広範囲に送信することができる。
【００４５】
（２）ホルダ
図４に示すように、ホルダ３は、筐体５を収納するための収納部３１を有する。この収納部３１の内周面は、筐体５の後方側の部位の外周面に対応した形状と大きさを有する。これにより、ホルダ３は、筐体５の操作面５ａを正面に（即ち、室内側に）向けた状態で、筐体５をその後方側端面５ｃの側から収納することが可能となっている。
また、ホルダ３の背面板３２（すなわち、壁面に取り付けられる側の部位）には、貫通穴３３が設けられている。例えば、この貫通穴３３にネジが通されることによって、ホルダ３は室内の壁面に取り付けられる。ホルダ３は、例えば合成樹脂からなる。また、ホルダ３の形成方法は、例えば射出成型である。
【００４６】
（３）照明システム
図９は本発明の実施形態に係る照明システム１０の構成例を示す概念図である。
図９に示すように、この照明システム１０は、上述のリモコン１と、このリモコン１によって操作される照明器具１１と、を備える。照明器具１１は、室内の天井等に取り付けられて下方及び側方を照らす。
この照明システム１０では、上述したリモコン１が第１の光信号及び第２の光信号を出力すると、照明器具１１は第１の光信号又は第２の光信号の少なくとも一方を受信する。そして、照明器具は、受信した光信号に基づいて、指示された処理（例えば、全灯又は消灯等）を実行する。
（４）対応関係
この実施形態では、前方側端面５ｂが本発明の「第１の端面」に対応し、後方側端面５ｃが本発明の「第２の端面」に対応している。
【００４７】
＜実施形態の効果＞
本発明の実施形態は、以下の効果を奏する。
（１）リモコン本体２を構成する各種部品と比較して、バッテリ２９は質量が大きい。このため、リモコン本体２にバッテリ２９を装着すると、リモコン本体２の重心位置はバッテリ２９に近づき、例えばバッテリ２９を収納するための収容部５２１と重なる位置となる。このリモコン本体２をユーザが手にするとき、ユーザは意識的に、または無意識のうちに、操作ボタンを避けるようにリモコン本体２を持とうとするので、操作ボタンがない（または、操作ボタンがあっても、第１の領域または第２の領域と比較して操作ボタンが少ない）収納部５２１の周囲を持つようになる。その結果、ユーザは、リモコン本体２の重心位置を持つことになり、安定した状態（すなわち、手や腕にできるだけ負荷がかからず、バランスがとれた状態）でリモコン本体２を持つことができる。
【００４８】
ここで、リモコン１の重心位置に近い第１の領域に、使用頻度の高い全灯ボタン６１、消灯ボタン６２、常夜灯ボタン及びメモリ点灯ボタンがそれぞれ配置されている。これにより、ユーザはリモコン本体２を安定した状態で手に持つができるとともに、その親指の届く範囲に全灯ボタン６１、消灯ボタン６２、常夜灯ボタン、メモリ点灯ボタン等が位置するため、使用頻度の高いこれらボタンを親指で容易に押すことができる。したがって、操作性がより向上したリモコン１と、このリモコン１を用いた照明システム１０を提供することができる。  
【００４９】
（２）また、筐体５は操作面５ａに凹部５１１を有し、この凹部５１１の底面５１１に第１の操作部６及び第２の操作部７がそれぞれ設けられている。そして、この凹部５１１の土手部分５１１ｂよりも、第１の操作部６の各ボタンの頂部及び第２の操作部７の各ボタンの頂部の方が、凹部５１１の底面５１１ａに近い位置にある。これにより、リモコン１をテーブル等に置く際に操作面５ａを下にした場合でも、第１の操作部６の各ボタン及び第２の操作部７の各ボタンがテーブル等に接触することを防ぐことができ、これら各ボタンが意図せず押されてしまうことを防ぐことができる。
【００５０】
（３）また、室内の照明に用いられる照明器具１１は、室内の天井の中央付近（すなわち、操作面から見て斜め上方）に配置されることが多い。さらに、リモコン本体２のホルダ３からの取り出しを容易にするため、ホルダ３は室内の壁面のうち、ユーザの手が届く範囲の高さに取り付けることが望ましい。
ここで、リモコン１は、第１の光信号を操作面５ａの前方斜め上方に向けて送信する第１の発光部８と、第２の光信号を前方に向けて送信する第２の発光部９とを備える。これにより、室内の壁面に取り付けられたホルダ３に収納した状態でリモコン１を使用する場合でも、天井に取り付けられた照明器具１１に第１の光信号を送信することが容易である。また、リモコン１を室内のテーブルや床面等に配置した場合でも、天井に取り付けられた照明器具１１に第１の光信号を送信することが容易である。
このように、リモコン１の操作面５ａを真横に向けた場合でも、上に向けた場合でも、リモコン１は第１の光信号を照明器具１１に向けて送信することができる。したがって、照明器具１１に対する制御性を向上したリモコン１と、このリモコン１を用いた照明システム１０を提供することができる。
【００５１】
（４）また、第１の発光部８の出力を、第２の発光部９の出力よりも大きく設定してよい。このように設定すると、壁面のホルダ３から天井の照明器具１１までの距離が大きい場合でも、ホルダ３内のリモコン１が出力する第１の光信号を照明器具１１に受信させることが容易となる。
【００５２】
＜変形例＞
（１）上述したように、ユーザは、リモコン本体２を手にするとき、操作ボタンを避けるようにリモコン本体２を持とうとするので、操作ボタンがない（または、操作ボタンが少ない）収納部５２１の周囲を持つようになる。その結果、ユーザは、リモコン本体２の重心位置を持つことになり、安定した状態でリモコン本体２を持つことができる。
このように、ユーザは、リモコン本体２の重心位置を含む部位を手で持つための持ち手部に選択すれば、リモコン本体２を安定した状態で持つことができる。そこで、上記の実施形態では、この持ち手部となる部位の操作面５ａの反対側の面（即ち、背面５ｅ）に、ユーザの指をガイドするためのガイド部を設けてもよい。
【００５３】
図１０は、本発明の実施形態の変形例に係るリモコン本体２Ａの構成例を示す側面図と背面図である。図１０に示すように、リモコン本体２Ａの重心位置を含む部位の操作面５ａの反対側の面（即ち、背面５ｅ）にガイド部５２８が設けられていれば、ユーザはこのガイド部５２８にガイドされて、リモコン本体２Ａの重心位置を含む部位を持ち手部に選択することができる。ガイド部５２８は、凹部で構成されていてもよいし、凹凸部で構成されていてもよいし、粗面化された表面で構成されていてもよいし、筐体５とは異なる材料（例えば、ラバーなど）で構成されていてもよい。このような構成であれば、ユーザはガイド部５２８を直接見なくても手触りで、ガイド部５２８を識別することができる。
【００５４】
或いは、ガイド部５２８は、筐体５のガイド部５２８以外の部分と色分けされていてもよい。このような構成であれば、ユーザはガイド部５２８を色の違いで識別することができる。もちろん、ガイド部５２８は、凹部等と色分けの両方で構成されていてもよい。
さらに、筐体５のうちユーザが手で持つための持ち手部の内側にバッテリ２９が装着される場合は、図１０に示すように、バッテリカバー５３にガイド部５２８が設けられていてもよい。
【００５５】
（２）また、上記の実施形態では、メモリ点灯ボタンと常夜灯ボタンとが兼用のボタン６３で構成されている場合について説明した。しかしながら、上記の実施形態において、メモリ点灯ボタンと常夜灯ボタンは別々のボタンであってもよい。すなわち、メモリ点灯ボタンと常夜灯ボタンはそれぞれ専用のボタンであってもよい。このような構成であっても、上述した実施形態の効果を奏する。
【００５６】
（３）また、上記の実施形態では、リモコン本体２が表示画面を備えていない場合について説明した。しかしながら、上記の実施形態において、リモコン本体２は、例えば液晶表示装置等の表示画面を備えていてもよい。このような構成であっても、上述した実施形態の効果を奏する。また、リモコン本体２が表示画面を備える場合は、この表示画面に、照明器具の現在の照明状態（明るさ、色温度、おはよう、おやすみ等の各種設定）や、操作したボタンの機能、押した回数等を表示させてもよい。このような構成であれば、より利便性の高いリモコンと、このリモコンを用いた照明システムを提供することができる。
【００５７】
（４）また、上記の実施形態では、第１の操作部６及び第２の操作部７がそれぞれ、合成樹脂等からなるボタンを有する場合について説明した。しかしながら、第１の操作部６が有するボタン及び第２の操作部７が有するボタンは、合成樹脂等からなるボタンに限定されるものではない。これらのボタンは、合成樹脂以外の材料で構成されていてもよい。さらに、これらのボタンは立体的形状を有するボタンに限定されるものではなく、例えばタッチパネルなど、表示装置で表示されるボタンでもよい。このような場合であっても、上記の実施形態と同様の効果を奏する。
【００５８】
＜その他＞
本発明は、以上に記載した実施形態とその変形例に限定されるものではない。当業者の知識に基づいて実施形態や各変形例に設計の変更を加えてもよく、また、実施形態や各変形例を任意に組み合わせてもよく、そのような変更等が加えられた態様も本発明の範囲に含まれる。
【符号の説明】
【００５９】
１  リモコン
２、２Ａ  リモコン本体
３  ホルダ
５  筐体
５ａ  操作面
５ｂ  前方側端面
５ｃ  後方側端面
５ｄ  傾斜面
５ｅ  背面
６  第１の操作部
７  第２の操作部
８  第１の発光部
９  第２の発光部
１０  照明システム
１１  照明器具
２１  装飾シート
２３  ボタンシート
２５  基板
２７  電源端子
２９  バッテリ
３１  収納部
３２  背面板
３３  貫通穴
５１  正面側ケース
５２  背面側ケース
５３  バッテリカバー
６１  全灯ボタン
６２  消灯ボタン
６３  兼用のボタン
７１  明るさ調整ボタン
７２  色温度調整ボタン
７３  メモリ設定ボタン
７４  おやすみボタン
７５  簡易おはようボタン
７６  おやすみ常夜灯ボタン
７７  読書モードボタン
７８  食事モードボタン
７９  くつろぎモードボタン
９１、９２  ＬＥＤ素子
２１１  貫通穴
２７１  第１の端子
２７２  第２の端子
５１１  凹部
５１１ａ  底面
５１１ｂ  土手部分
５１２、５１３    貫通穴
５１４、５１７、５１８、５２２、５２５、５２６  支持部
５１５、５１６、５２３、５２４  切欠き部
５２１  収容部
５２７  脚部
５２８  ガイド部
７１１  （明るさ調整ボタンの）上側部分
７１２  （明るさ調整ボタンの）下側部分
７２１  （色温度調整ボタンの）上側部分
７２２  （色温度調整ボタンの）下側部分
【図１】
2016072846.tif 000003
【図２】
2016072846.tif 000004
【図３】
2016072846.tif 000005
【図４】
2016072846.tif 000006
【図５】
2016072846.tif 000007
【図６】
2016072846.tif 000008
【図７】
2016072846.tif 000009
【図８】
2016072846.tif 000010
【図９】
2016072846.tif 000011
【図１０】
2016072846.tif 000012